(57)【要約】  本発明は、医療環境における人間工学的支持に関する。ユーザの活動の最小の影響を提供しながら改善された人間工学的支持を提供するために、医療環境におけるユーザに対する人間工学的支持装置１０が、提供される。前記支持装置は、着席支持構成１４、Ｘ線遮蔽構成１８及びベース支持構造１２を有する。前記ベース支持構造は、前記着席支持構成及び前記Ｘ線遮蔽構成に対する機械的支持を提供する。前記着席支持構成は、ユーザの臀部領域を支持するように構成される着席支持面１６を有する。前記Ｘ線遮蔽構成は、前記支持面により支持される間にユーザがさらされるＸ線放射線の少なくとも一部を遮蔽するように構成される少なくとも１つのＸ線シールド２０を有する。前記少なくとも１つのＸ線シールドは、少なくとも部分的に前記着席支持面上で休息しているユーザに対する位置を調節可能であるように前記ベース支持構造に移動可能に取り付けられる。
2021521954.tif 000002
【特許請求の範囲】
【請求項１】
医療環境におけるユーザに対する人間工学的支持装置において、前記支持装置が、
着席支持構成と、
Ｘ線遮蔽構成と、
ベース支持構造と、
を有し、
前記ベース支持構造が、前記着席支持構成及び前記Ｘ線遮蔽構成に対する機械的支持を提供し、
前記着席支持構成が、ユーザの臀部領域を支持するように構成される着席支持面を有し、
前記Ｘ線遮蔽構成が、前記支持面により支持される間にユーザがさらされるＸ線放射線の少なくとも一部を遮蔽するように構成される少なくとも１つのＸ線シールドを有し、
前記少なくとも１つのＸ線シールドが、少なくとも部分的に前記着席支持面上で休息しているユーザに対する前記少なくとも１つのＸ線シールドの位置を調節可能であるように前記ベース支持構造に移動可能に取り付けられ、前記少なくとも１つのＸ線シールドが、第１の位置から第２の位置に及びその逆に移動可能であり、前記第２の位置は、前記着席支持構成により支持される人が、前記第１の位置より少ない程度でＸ線放射線にさらされる遮蔽位置である、
人間工学的支持装置。
【請求項２】
前記少なくとも１つのＸ線シールドが、前記着席支持構成の周りで回転可能である、請求項１に記載の人間工学的支持装置。
【請求項３】
前記少なくとも１つのＸ線シールドが、少なくとも１８０°、好ましくは３６０°以上回転可能である、
請求項２に記載の人間工学的支持装置。
【請求項４】
前記少なくとも１つのＸ線シールドが、円弧形状である、及び／又は
前記少なくとも１つのＸ線シールドが、上側支持体から吊り下がる軟質材料で作成される、
請求項１、２又は３に記載の人間工学的支持装置。
【請求項５】
前記少なくとも１つのＸ線シールドが、垂直旋回軸の周りで旋回可能である、請求項１乃至４のいずれか一項に記載の人間工学的支持装置。
【請求項６】
ユーザの胸骨を支持するように構成される胸骨支持面を有する胸骨支持構成が、設けられ、
好ましくは、前記胸骨支持面が、前記着席支持構成の周りで回転可能であり、
更に好ましくは、前記胸骨支持面が、少なくとも１８０°、好ましくは３６０°以上回転可能である、
請求項１乃至５のいずれか一項に記載の人間工学的支持装置。
【請求項７】
前記胸骨支持面が、実質的に前記ユーザの胸骨専用の接触面を提供する縦長形状を持つ、請求項１乃至６のいずれか一項に記載の人間工学的支持装置。
【請求項８】
ユーザの前腕を支持するように構成される少なくとも１つの前腕支持面を有する腕支持構成が、設けられ、
好ましくは、前記前腕支持面が、前記着席支持構成の周りで回転可能であり、
更に好ましくは、前記前腕支持面が、少なくとも１８０°、好ましくは３６０°以上回転可能である、
請求項１乃至７のいずれか一項に記載の人間工学的支持装置。
【請求項９】
前記少なくとも１つのＸ線シールド、前記胸骨支持面及び前記前腕支持面のグループの少なくとも１つ、並びに前記着席支持面が、各々、回転可能に取り付けられ、
好ましくは、前記少なくとも１つのＸ線シールド、前記胸骨支持面及び前記前腕支持面のグループの少なくとも１つ、並びに前記着席支持面が、互いに独立に回転可能であり、
好ましくは、前記着席支持面、前記少なくとも１つのＸ線シールド、前記胸骨支持面及び前記前腕支持面のグループの少なくとも２つが、共通の中心回転軸の周りで回転可能である、
請求項１乃至８のいずれか一項に記載の人間工学的支持装置。
【請求項１０】
前記少なくとも１つのＸ線シールド、前記胸骨支持面及び前記前腕支持面のグループの少なくとも１つ、並びに前記着席支持面が、各々、高さ調節可能であるように高さ調節を備え、
好ましくは、前記着席支持面の高さ調節は、前記着席支持面が、前記少なくとも１つのＸ線シールド、前記胸骨支持面及び前記前腕支持面のグループの少なくとも１つと高さ結合可能であるように、前記少なくとも１つのＸ線シールド、前記胸骨支持面及び前記前腕支持面のグループの少なくとも１つの高さ調節に結合される、
請求項１乃至９のいずれか一項に記載の人間工学的支持装置。
【請求項１１】
前記ベース支持構造が、少なくとも３つのスイベルプーリーを有する可動性椅子ベースとして提供される、請求項１乃至１０のいずれか一項に記載の人間工学的支持装置。
【請求項１２】
前記ベース支持構造が、前記着席支持面の第１の位置と前記着席支持面の第２の位置との間の範囲で前記ユーザに対する着席支持を提供するように高さ調節可能であり、前記第１の位置が、下の位置であり、前記第２の位置が、上の位置であり、
前記下の位置が、前記ユーザの着座位置を可能にし、前記上の位置が、前記ユーザの立ち位置を可能にする、
請求項１乃至１１のいずれか一項に記載の人間工学的支持装置。
【請求項１３】
Ｘ線撮像システムと、
請求項１乃至１２のいずれか一項に記載の人間工学的支持装置と、
を有する医学研究室機器構成において、
前記Ｘ線撮像システムが、Ｘ線検出器及び患者支持台上に配置された患者の照射に対するＸ線源を有し、
前記人間工学的支持装置が、撮像生成目的のＸ線照射活動中に前記患者の近傍でユーザを支持するように構成される、
医学研究室機器構成。
【請求項１４】
患者のＸ線撮像に対する方法において、
ａ）患者支持台上に少なくとも部分的に患者を配置するステップと、
ｂ）前記患者にＸ線放射線を照射するステップであって、結果として生じる放射線を検出してＸ線画像データを生成するステップと、
ｃ）照射ステップｂ）の間に請求項１乃至１２のいずれか一項に記載の人間工学的支持装置でユーザを支持するステップと、
を有する方法。
【発明の詳細な説明】
【技術分野】
【０００１】
本発明は、人間工学的支持に関し、特に医療環境におけるユーザに対する人間工学的支持装置、医学研究室機器構成（medical laboratory equipment arrangement）及び患者のＸ線撮像の方法に関する。
【背景技術】
【０００２】
病院内のカテーテル室又は他の手術室のような、医療環境において、多くの活動は、患者の検査又はインターベンション中に、ユーザ、すなわち外科医、医師又は他のサポート要員の立っている又は傾いている姿勢を要求しうる。これは、ユーザの大きな身体的作業負荷をもたらしうる。更に、患者を撮像するようなＸ線放射線が使用される場合、個別に着用されるＸ線保護が、使用されなければならず、これは、更なる重量を追加し、したがって、身体的作業負荷を更に増大させる。
【０００３】
ＤＥ１９６４３６２３Ａ１は、放射線シールド及びシールドの後ろで支持するサドルシートを記載している。放射線シールドは、座ったユーザが腕を伸ばしうる開口を設けられている。放射線シールドの高さは、調節可能でありうる。
【０００４】
ＪＰ２０１３−１２８５１１Ａは、医療血管造影装置又はＸ線ＣＴ装置のオペレータにより使用されるＸ線保護装置を開示している。フレームが、立っている人を囲むように成形され、後ろ又は横において部分的に開いている。椅子は、フレーム内に設けられうる。更に、フレームは、人を囲むように形成された１以上のＸ線保護シートを有するＸ線シールドを設けられうる。
【０００５】
しかしながら、これらの解決法が、例えばカテーテル室において医療インターベンションを実行する場合にユーザの活動を制限しうることが、示されている。
【発明の概要】
【発明が解決しようとする課題】
【０００６】
したがって、ユーザの活動に対して減少された影響を持つ改善された人間工学的支持体を提供する必要性が存在しうる。
【課題を解決するための手段】
【０００７】
この必要性は、独立請求項の対象により対処されえ、更なる実施例は、従属請求項に組み込まれる。本発明の以下に記載される態様が、医療環境におけるユーザに対する人間工学的支持装置、医学研究室機器構成及び患者のＸ線撮像の方法にも適用されることに注意すべきである。
【０００８】
本発明によると、医療環境におけるユーザに対する人間工学的支持装置が、提供される。前記支持装置は、着席支持構成（seating support arrangement）、Ｘ線遮蔽構成及びベース支持構造を有する。前記ベース支持構造は、前記着席支持構造及び前記Ｘ線遮蔽構成に対する機械的支持を提供する。前記着席支持構成は、ユーザの臀部を支持するように構成される着席支持面を有する。前記Ｘ線遮蔽構成は、前記支持面により支持されている間にユーザがさらされるＸ線放射線の少なくとも一部を遮蔽するように構成される少なくとも１つのＸ線シールドを有する。前記少なくとも１つのＸ線シールドは、少なくとも部分的に前記着席支持面上で休息するユーザに対する位置において調節可能であるように前記ベース支持構造に移動可能に取り付けられ、前記少なくとも１つのＸ線シールドは、第１の位置から第２の位置に又はその逆に移動可能である。
【０００９】
これは、前記Ｘ線シールドが、異なる位置の間で移動されることができるので、前記ユーザに対する柔軟性を提供する。したがって、前記装置は、ユーザが例えば着席するために前記支持面に容易にアクセスすることができる第１の位置から、Ｘ線放射線から効果的な遮蔽を提供する第２の位置に移動することができる。換言すると、前記第２の位置は、入射放射線、特に散乱Ｘ線放射線からのより多くの遮蔽をユーザに提供する。
【００１０】
結果として、前記着席面は、ユーザが例えばＸ線撮像システムの近くに自身を配置する場合に容易にアクセス可能であってもよく、他の場合、例えば前記ユーザが着席し、このようなシステムが使用中である場合に、比較的高い放射線遮蔽が、提供されることができる。更に、例えば、前記シールドは、医師が一時的に台上の患者に対する妨げられないアクセスを持つことを必要とする場合に、進行中の医療処置中に簡潔に前記第１の位置に移動されてもよい。
【００１１】
用語「人間工学的支持装置」は、前記ユーザを生理学的に支持する装置を指す。前記人間工学的支持体は、したがって、前記ユーザに対する身体的支持を提供する。前記支持体は、前記ユーザに安心感を提供する耐荷重機能を提供する。前記耐荷重機能は、前記ユーザの筋骨格系、すなわち主として骨、筋肉及び腱の系により支えられる結果として生じる荷重を減少させる。
【００１２】
例えば、前記医療環境における前記「ユーザ」は、医師、例えば、カテーテル室の医師である。用語「カテーテル室」は、カテーテル処置室を指す。前記カテーテル室は、例えば病院内の、患者の検査及びインターベンション処置のための手術室として設けられうる。
【００１３】
前記医療環境は、特に、Ｘ線放射線が加えられる他の処置のＸ線撮像の分野に関する。他の例において、遮蔽が必要とされる他のタイプの放射線が、提供される。
【００１４】
前記Ｘ線シールドは、Ｘ線保護を提供し、鉛又は他の適切な材料のようなＸ線吸収材料を有する。
【００１５】
前記人間工学的支持装置は、人間工学的支持器具とも称されることができる。前記着席支持構成は、着席支持装置とも称されることができる。前記Ｘ線遮蔽構成は、Ｘ線遮蔽装置とも称されることができる。
【００１６】
前記Ｘ線シールドの可動性は、ユーザが、重い、したがって前記ユーザの移動を妨げるかもしれない前掛けを着用してる場合でさえ、前記着席支持面上に場所を取ることができるという利点を提供する。配置された後に、前記Ｘ線シールドは、前記ユーザの前に、すなわち、前記ユーザとＸ線放射線の潜在的な線源との間に、移動されることができる。不使用の段階の間に、前記Ｘ線遮蔽は、例えば前記ユーザの移動の自由度を増加するために前記ユーザの横又は後ろに、容易に遠ざけられることができる。
【００１７】
前記人間工学的支持体は、カテーテル室医師に対して提供されるが、他のユーザ、例えば姿勢について問題を持つ医師に対して使用されることもできる。前記人間工学的支持体は、労働環境においてＸ線保護について問題を持つユーザ、例えば、放射線遮蔽により保護されながら患者に対する折り曲げ姿勢を達成する必要がある異なる医療分野における医師、外科医、歯科医、及び美容師、メイクアップアーティスト、看護師、放射線技師及び他の介護士に対しても提供される。
【００１８】
一例において、前記人間工学的支持装置は、着席支持構成を持つベース支持構造を、医療環境におけるユーザに対する人間工学的支持装置に変換する改装キットとして提供される。前記改装キットは、Ｘ線遮蔽構成を有する。前記Ｘ線遮蔽構成は、着席支持構成及び前記Ｘ線遮蔽構成に対する機械的支持を提供するベース支持構造に取り付けられるように構成される取り付けアダプタを設けられる。前記Ｘ線遮蔽構成は、支持面上で支持される間にユーザがさらされるＸ線放射線の少なくとも一部を遮蔽するように構成される少なくとも１つのＸ線シールドを有する。前記少なくとも１つのＸ線シールドは、少なくとも部分的に前記着席支持面上で休息するユーザに対する位置を調整可能であるようにベース支持構造に移動可能に取り付け可能である。
【００１９】
前記着席支持構成は、ユーザの臀部領域（又は尻領域）を支持するように構成される着席支持面を有する。
【００２０】
前記改装キットの一例において、前記Ｘ線シールドは、上及び下に記載される例の１つによって提供される。
【００２１】
前記少なくとも１つのＸ線シールドは、第１の位置から第２の位置に及びその逆に移動可能である。前記第２の位置において、前記着席支持体により支持される人は、前記第１の位置より少ない程度で放射線源にさらされる。
【００２２】
前記第１の位置は、着席位置、すなわち前記ユーザが前記着席支持面上に着席される、より多くの空間を設けられる位置を提供してもよい。前記第１の位置において、前記Ｘ線シールドは、例えば、遮蔽が減少される又は全く提供されないように横に移動されてもよい。他方で、このシールド位置において、ユーザは、前記着席面に比較的容易なアクセスを持ち、及び／又は着席したユーザは、台上の患者に対する妨げられないアクセスを持ちうる。
【００２３】
前記第２の位置は、使用又は遮蔽位置、すなわち前記ユーザが放射線から効果的に遮蔽される位置を提供する。前記第２の位置において、前記Ｘ線シールドは、前記ユーザにより受けられる散乱放射線の量が可能な限り減少されるように効果的に遮蔽するように配置される。
【００２４】
一例において、前記第１の位置において、前記Ｘ線シールドと前記着席支持体との間の距離は、前記第２の位置の場合より大きい。
【００２５】
更なる例によると、前記少なくとも１つのＸ線シールドは、前記着席支持構成の周りで回転可能である。オプションにおいて、前記少なくとも１つのＸ線シールドは、少なくとも１８０°、好ましくは３６０°以上回転可能である。
【００２６】
前記回転は、前記遮蔽が常に前記ユーザに対するアクセスの範囲内であることを保証しながら、前記遮蔽の最適かつ直感的な配置、及び例えば前記ユーザの後ろに、離れて収納することを可能にする。３６０°の回転可能なシールドは、移動の自由度を提供し、前記着席位置、遮蔽位置及びオプションの収納位置の間で前記シールドを自由に回転する能力を提供する。
【００２７】
前記Ｘ線シールドの回転は、水平に配置された円形移動経路に沿って提供されてもよい。例えば、ユーザが前記着席支持体上に着席する場合、前記Ｘ線シールドは、前記着席したユーザの上半身の長さ軸と実質的に一致する回転軸の周りで回転する。
【００２８】
一例において、前記回転に対して、前記Ｘ線遮蔽構成は、前記着席支持体の下で前記ベース支持構造に回転可能に取り付けられるカンチレバーアームを有する。前記カンチレバーアームは、更なる横向きカンチレバーアームが、吊り下げられた形でＸ線シールドを運ぶように接続される、上向きに延在する支持体とともに提供される。
【００２９】
一例によると、前記少なくとも１つのＸ線シールドは、円弧形状である。加えて、又は代わりに、前記少なくとも１つのＸ線シールドは、上側支持体からつり下がっている軟質材料で作成される。
【００３０】
一例によると、前記少なくとも１つのＸ線シールドは、垂直旋回軸の周りで旋回可能である。
【００３１】
一例において、前記着席支持面及び前記少なくとも１つのＸ線シールドは、各々、高さを調節可能であるように高さ調節を備える。オプションとして、前記少なくとも１つのＸ線シールドの高さ調節は、前記少なくとも１つのＸ線シールドが前記着席支持面に対して高さ結合可能であるように、前記着席支持面の高さ調節に結合される。
【００３２】
一例において、前記Ｘ線シールドの旋回移動は、前記Ｘ線シールドの回転移動に加えて提供される。他の例において、前記Ｘ線シールドの旋回移動は、前記Ｘ線シールドの回転移動の代わりに提供される。
【００３３】
一例によると、胸骨支持構成が、提供され、これは、ユーザの胸骨を支持するように構成される胸骨支持面を有する。オプションにおいて、前記胸骨支持面は、前記着席支持構成の周りで回転可能である。更なるオプションにおいて、前記胸骨支持面は、少なくとも１８０°、好ましくは３６０°以上回転可能である。
【００３４】
一例によると、腕支持構成が、提供され、これは、ユーザの前腕を支持するように構成される少なくとも１つの前腕支持面を有する。オプションにおいて、前記前腕支持面は、前記着席支持構成の周りで回転可能である。更なるオプションにおいて、前記前腕支持面は、少なくとも１８０°、好ましくは３６０°以上回転可能である。
【００３５】
一例において、両方の機能部分（保護及び支持）は、左側からアプローチされ、したがって、これらは、脚の間で干渉しない。これは、更なる移動の自由度と、前記ユーザの身体の周りで前記装置を回転する能力とを提供する。
【００３６】
支持及びＸ線保護の統合は、カテーテル室スタッフに対する機能性の改善された組み合わせを作成する。
【００３７】
前記胸骨支持体の形状は、胸骨のみを圧迫し、その周りの軟組織及び筋肉を圧迫しないように胸骨の形状に基づく。したがって、時間に対するしびれた感覚が、避けられる又は少なくとも軽減される。
【００３８】
一例によると、前記ベース支持構造は、少なくとも３つのスイベルプーリーを有する可動性椅子ベースとして提供される。
【００３９】
本発明によると、医療研究室機器構成が、提供される。前記構成は、先行する例の１つによる人間工学的支持装置及びＸ線撮像システムを有する。前記Ｘ線撮像システムは、Ｘ線検出器と、患者支持台上に配置された患者の照射に対するＸ線源とを有する。前記人間工学的支持装置は、撮像生成目的に対するＸ線照射活動中に前記患者の近傍でユーザを支持するように構成される。
【００４０】
本発明によると、患者のＸ線撮像に対する方法も、提供される。前記方法は、以下のステップ、すなわち、
ａ）患者を少なくとも部分的に患者支持台上に配置するステップと、
ｂ）前記患者をＸ線放射線で照射するステップであって、結果として生じる放射線を検出してＸ線画像データを生成するステップと、
ｃ）少なくとも照射ステップｂ）の間、以前の例の１つによる人間工学的支持装置でユーザを支持するステップと、
を有する。
【００４１】
一態様によると、支持されながら立っている位置を可能にするスツール支持体が、提供される。可動性Ｘ線シールドは、鉛のようなＸ線吸収材料を有する、前掛けのような前記ユーザの個人のＸ線保護に対する安心を生じる追加のＸ線保護を提供する。前記可動性は、前記ユーザに対する増大された柔軟性を可能にし、必要である場合に適合可能な、したがって最適化されたＸ線遮蔽を提供する。
【００４２】
前記人間工学的支持装置は、長い時間期間に対して立っていることを含みうる仕事をするために、例えばカテーテル室医師に対する、支持を提供し、立って、十分な（かつ必要な）保護が提供される前記Ｘ線シールドの後ろに配置される間に、より軽い鉛の前掛けが使用されることができるので、支持は、安心を生じる。したがって、増大された支持オプションが提供され、結果として保護を提供しながら増大された範囲の姿勢を生じる。例えば、医師の前傾姿勢は、一例として支持され、腰の主要な筋肉の緊張を低減する。
【００４３】
本発明のこれら及び他の態様は、以下に記載される実施例を参照して説明され、明らかになる。
【００４４】
本発明の典型的な実施例は、以下の図面を参照して以下に記載される。
【図面の簡単な説明】
【００４５】
【図１】複数のオプションを持つ人間工学的支持装置の一例の斜視図を示す。
【図２】可動コンポーネントを持つ人間工学的支持体の一例を示す。
【図３】可動Ｘ線シールドを持つ人間工学的支持体の一例を示す。
【図４】可動Ｘ線シールドを持つ人間工学的支持体の一例を示す。
【図５】人間工学的支持体の一例の上のユーザの姿勢の例を示す。
【図６】人間工学的支持体の一例の上のユーザの姿勢の例を示す。
【図７】前掛けを着用するユーザを示す。
【図８】概略的な前面図において胸骨支持面の一例を示す。
【図９】人間工学的支持装置を持つ医学研究室機器構成の一例を示す。
【図１０】患者のＸ線撮像に対する方法の一例を示す。
【発明を実施するための形態】
【００４６】
図１は、医療環境におけるユーザに対する人間工学的支持装置１０を示す。支持装置１０は、ベース支持構造１２を有する。支持装置１０は、ユーザの臀部領域を支持するように構成される着席支持面１６を有する着席支持構成１４をも有する。前記着席支持面は、単一ピースのサドルとして又は（図示されるように）、例えば２ピースサドル型シートとして提供されてもよい。支持装置１０は、前記支持面により支持される間にユーザがさらされるＸ線放射線の少なくとも一部を遮蔽するように構成される少なくとも１つのＸ線シールド２０を有するＸ線遮蔽構成１８をも有する。支持構造１２は、前記着席支持構成及び前記Ｘ線遮蔽構成に対する機械的支持を提供する。少なくとも１つのＸ線シールド２０は、少なくとも部分的に前記着席支持面上で休息しているユーザに対する位置を調節可能であるように前記ベース支持構造に移動可能に取り付けられる。
【００４７】
少なくとも１つのＸ線シールド２０は、第１の位置Ｐ１（図３）から第２の位置に、及びその逆に移動可能である。前記第１の位置において、ユーザは、シールド２０により妨げられずに又は邪魔されずに、そこに着席するために支持面１６に対する容易なアクセスを持つ。前記第２の位置において、支持面１６上に着席した人は、Ｘ線放射線源から効果的に遮蔽される。したがって、このシールド位置において、入射放射線、特に治療される患者から発する散乱Ｘ線放射線は、消去又は少なくとも低減される。
【００４８】
一例において、着席支持面１６は、図示されるようにサドルとして提供される。例えば、前記サドルは、第１のサドル部分１６ａ及び第２のサドル部分１６ｂを持つ二部分サドル形成を有する。しかしながら、休息するのにそれぞれ着席する他のタイプの面も、他の例において提供される。
【００４９】
図２に示されるように、オプションにおいて、少なくとも１つのＸ線シールド２０は、回転矢印２２で示されるように、前記着席支持構成の周りで回転可能である。好ましくは、少なくとも１つのＸ線シールド２０は、少なくとも１８０°、好ましくは３６０°以上回転可能である。
【００５０】
オプションとして、少なくとも１つのＸ線シールド２０は、円弧形状である。
【００５１】
一例において、前記Ｘ線シールドは、回転点の周りの同心円弧形状である。これは、カテーテル室環境における空間の最小使用を提供する。
【００５２】
一例において、柔らかい布のようなシールドが、前記ユーザの脚、特に前記Ｘ線シールドに隣接している場合に前記ユーザの膝に対して形状を適合することができるように、カーテンのような、前記Ｘ線シールドが、提供される。
【００５３】
一例において、前記Ｘ線遮蔽構成は、交換されることができる異なるサイズのＸ線シールドのセットを有し、これは、前記ユーザのサイズ及び形状に依存するスケールされたＸ線遮蔽を提供することを可能にする。例えば、シールドセグメントは、異なる幅及び／又は異なる長さで提供されてもよい。
【００５４】
更なるオプションとして、少なくとも１つのＸ線シールド２０は、上側支持体２４から吊り下がる軟質材料で作成される。
【００５５】
図２において、前記Ｘ線シールドは、破線で示されている。可動性は、（サドル向きを、例えば患者の治療中の前記ユーザの主要な向きの標示と見なす場合に）椅子の後ろ側に回された面を持つ前記腕支持構成を示すことにより示される。オプションにおいて、破線で示された前記Ｘ線シールドは、移動されることもできる。
【００５６】
図３に示されるように、オプションにおいて、Ｘ線シールド２０は、垂直旋回軸ＡＰの周りで旋回可能（旋回矢印２６で示される）である。Ｘ線シールド２０は、したがって、前記着席面に対する容易なアクセスのために横に移動されることができる。
【００５７】
第１の位置Ｐ１は、図３において実線で示され、第２の位置Ｐ２は、破線で示される。
【００５８】
図４は、いわば前記ユーザの後ろの、したがって前記着席面に対する容易なアクセスのために横に移動された、Ｘ線シールド２０の配置を示す。前記Ｘ線シールドは、したがって、第１の位置Ｐ１において示されている。第２の位置Ｐ２は、図３において破線で示されている。
【００５９】
もちろん、図３及び４において、オプションとして、前記腕支持構成は、回転されてもよく、したがって移動されてもよい。
【００６０】
他のオプションとして、ユーザの胸骨を支持するように構成される胸骨支持面３２を有する胸骨支持構成３０が、提供される。例えば、胸骨支持面３２は、前記着席支持構成の周りで回転可能である。好ましくは、胸骨支持面３２は、少なくとも１８０°、好ましくは３６０°以上回転可能である。
【００６１】
オプションにおいて、着席支持面１６及び胸骨支持面３２は、各々、高さ調節可能であるように高さ調節を備える。オプションとして、前記胸骨支持面が前記着席支持面に高さ結合可能であるように、前記胸骨支持面の高さ調節が、前記着席支持面の高さ調節に結合されることが、提供される。
【００６２】
前記胸骨支持面の回転は、水平に配置された円形移動経路に沿って提供される。
【００６３】
一例において、前記回転に対して、前記胸骨支持構成は、前記着席支持体の下で前記ベース支持構造に回転可能に取り付けられるカンチレバーアーム３４を有する。前記カンチレバーアームは、更なる横向きカンチレバーアーム３８が接続される上向きに延在する支持体３６とともに提供される。前記胸骨支持面は、この横向きカンチレバーアームにより運ばれる。前記胸骨支持面は、わずかに上向きに傾けられて突き出している。
【００６４】
一例において、ユーザの前腕を支持するように構成される少なくとも１つの前腕支持面４２を有する腕支持構成４０が、提供される。オプションにおいて、前腕支持面４２は、前記着席支持構成の周りで回転可能である。好ましくは、前記前腕支持面は、少なくとも１８０°、好ましくは３６０°以上回転可能である。
【００６５】
前記前腕支持面は、特に、前記ユーザの肘に対する支持として提供される。前記胸骨支持対の小さな形状は、前記ユーザに腕を自由に移動させる能力を与える。
【００６６】
更なるオプションにおいて、前記腕支持面及び前記Ｘ線シールドは、共通のカンチレバーアーム構造に取り付けられ、一緒に移動される。
【００６７】
更なるオプションにおいて、前記腕支持面は、共通のカンチレバーアーム構造に取り付けられるように提供される。前記Ｘ線シールドは、前記共通のカンチレバーアーム構造の上側のレールのような部分に、例えばスライド及び／又は旋回する形で、移動可能に取り付けられる。したがって、腕支持面及びＸ線遮蔽の独立した調節が、可能である。
【００６８】
一例において、前記着席支持面及び前記前腕支持面は、各々、高さ調節可能であるように高さ調節を備える。オプションとして、前記前腕支持面が前記着席支持面に高さ結合可能であるように、前記前腕支持面の高さ調節が、前記着席支持面の高さ調節に結合されることが、提供される。
【００６９】
前記前腕支持面の回転が、水平に配置された円形移動経路に沿って提供される。
【００７０】
一例（詳細には示されない）において、前記回転に対して、前記腕支持構成は、前記着席支持体の下で前記ベース支持構造に回転可能に取り付けられるカンチレバーアームを有する。前記カンチレバーアームは、更なる横向きカンチレバーアームが接続される上向きに延在する支持体とともに提供される。前記腕支持面は、この横向きカンチレバーアームにより提供される。
【００７１】
他の例において、前記腕支持構成は、図１に示されるように、前記胸骨支持体を運ぶ前記横向きカンチレバーアームにより形成される。
【００７２】
一例において、前記着席支持面、並びに前記少なくとも１つのＸ線シールド、前記胸骨支持面及び前記前腕支持面のグループの少なくとも１つは、各々、回転可能に取り付けられる。オプションにおいて、前記着席支持面、並びに前記少なくとも１つのＸ線シールド、前記胸骨支持面及び前記前腕支持面のグループの少なくとも１つは、互いから独立して回転可能である。オプションにおいて、前記着席支持面、前記少なくとも１つのＸ線シールド、前記胸骨支持面及び前記前腕支持面のグループの少なくとも２つは、共通の中心回転軸の周りで回転可能である。
【００７３】
他の例において、前記着席支持面、並びに前記少なくとも１つのＸ線シールド、前記胸骨支持面及び前記前腕支持面のグループの少なくとも１つは、一緒に回転する。オプションとして、回転移動が直接的に結合されることが、提供される。
【００７４】
一例において、前記着席支持面、前記少なくとも１つのＸ線シールド、前記胸骨支持面及び前記前腕支持面は、前記ベース支持構造に同心に取り付けられる。
【００７５】
一例において、前記着席支持面、並びに前記少なくとも１つのＸ線シールド、前記胸骨支持面及び前記前腕支持面のグループの少なくとも１つは、各々、高さ調節可能であるように高さ調節を備える。（図６の矢印２８）。オプションにおいて、前記着席支持面が前記少なくとも１つのＸ線シールド、前記胸骨支持面及び前記前腕支持面のグループの少なくとも１つと高さ結合可能であるように、前記着席支持面の高さ調節は、前記少なくとも１つのＸ線シールド、前記胸骨支持面及び前記前腕支持面のグループの少なくとも１つの高さ調節に結合される。
【００７６】
したがって、スツールに取り付けられることができる胸骨支持体をユーザに対して提供することにより、医師は、腰に大きすぎる筋肉の緊張を生じずに前傾になることができる。追加の保護は、配置するのが容易であり、前記ユーザに沿って移動する統合された解決法として利用可能である。
【００７７】
オプションにおいて、前記ベース支持構造は、少なくとも３つのスイベルプーリー５２を有する可動性椅子ベース５０として提供される。一例において、前記可動性椅子ベースは、少なくとも５つのプーリーを有する。前記プーリーは、荷重時ブレーキキャスタとして提供されてもよい。
【００７８】
一例において、前記ベース支持構造は、可動性構造として提供される。
【００７９】
他の例において、前記ベース支持構造は、床構造に対して固定して取り付け可能である。
【００８０】
一例において、前記ベース支持構造は、前記着席支持面の第１の位置と前記着席支持面の第２の位置との間の範囲内で前記ユーザに対する着席支持体を提供するように高さ調節可能である。前記第１の位置は、下の位置であり、前記第２の位置は、上の位置である。前記下の位置は、前記ユーザの着座位置を可能にし、前記上の位置は、前記ユーザの立ち位置を可能にする。
【００８１】
一例において、前記下の位置は、５％日本人女性ユーザ及び９５％の米国人弾性ユーザに対する着座位置を可能にする。他の例において、前記上の位置は、５％の日本人女性ユーザ及び９５％の米国人男性ユーザに対する立ち位置又は完全に立つのに近い位置を可能にする。
【００８２】
図５は、より座っている位置のユーザ６０（図７）を示し、図６は、より立っている位置のユーザ６０を示すが、両方の位置において、前記着席支持面により支持されている。
【００８３】
図５において、前記胸骨支持面は、後ろ側に移動され、図５において左側に、したがって前記ユーザの後ろに移動されることが示されている。前記ユーザは、したがって、前記胸骨支持面に対して後傾になることができる。
【００８４】
図６において、前記胸骨支持面は、前側に、図６において右側に、したがって前記ユーザの前に移動されることが示される。前記ユーザは、したがって、前記胸骨支持体に対して前傾になることができる。
【００８５】
両方の位置において、前記ユーザは、医療環境におけるユーザに対する人間工学的支持装置にアプローチする場合に図７においてユーザに対して示される前掛け２９を着用することができる。
【００８６】
図８に示されるように、一例において、胸骨支持面３２は、本質的に前記ユーザの胸骨専用である接触面を提供する縦長形状を持つ。
【００８７】
一例において、胸骨支持面３２は、本質的に前記ユーザの胸骨専用の接触面を提供する縦長形状を持つ。他の例において、前記胸骨支持面は、約３ｃｍの幅及び約１０ｃｍの高さの形状を持つ。
【００８８】
前記胸骨支持面は、交換可能であるように提供されることができる。例えば、異なるサイズ、及び／又は異なる幅／高さ比を持つ形状が、提供される。
【００８９】
一例において、前記胸骨支持面は、下端３２ａ及び上端３２ｂを備え、下端と上端との間に中央部分３２ｃを備える。一例において、前記下端の幅Ｗbは、前記上端の幅Ｗcより小さい。他の例において、前記中央部分の幅Ｗdは、前記下端の幅より小さく、前記上端の幅よりも小さい。一例において、前記上端と前記下端との間の側面部分は、くぼんだ形の形状である。
【００９０】
一例において、前記中央部分は、前記上端と前記下端との間の距離の半分よりわずかに下に配置され、すなわち、前記中央部分から前記上端までの上側距離Ｄcは、前記上端から前記下端までの全体的な距離Ｄaの半分より大きい。
【００９１】
一例において、前記胸骨支持面は、前記ユーザの胸骨の輪郭と合うように柔軟であるように提供される。一例において、前記胸骨支持面は、前記胸骨支持面の異なる傾斜の向きを可能にするように中心水平軸の周りで旋回可能であるように取り付けられる。
【００９２】
これらのフィーチャの他に、図面は、提供されうる他のオプションを示すことに注意されたい。特に、回転可能な前記Ｘ線シールドが、前記胸骨支持体なしで提供されてもよいことに注意する。
【００９３】
図９は、医学研究室機器構成１００の一例を概略的に示す。前記構成は、Ｘ線撮像システム１０２と、上に記載された人間工学的支持装置１０の一例として提供される人間工学的支持装置１０８とを有する。Ｘ線撮像システム１０２は、Ｘ線検出器１０６と、患者支持台１１０、例えば患者台上に配置された患者の照射のための（前記人間工学的支持装置の後ろに隠れた）Ｘ線源１０４とを有する。前記人間工学的支持装置は、撮像生成目的のＸ線照射活動中に前記患者の近傍でユーザを支持するように構成される。
【００９４】
人間工学的支持装置１０４は、前記患者台の前に移動される前記胸骨支持体とともに示され、前記Ｘ線遮蔽は、横に移動される。
【００９５】
図１０は、患者のＸ線撮像に対する方法２００の一例を示す。前記方法は、以下のステップを有する。ステップａ）とも称される第１のステップ２０２において、患者は、少なくとも部分的に患者支持台上に配置される。ステップｂ）とも称される第２のステップ２０６において、前記患者は、Ｘ線放射線で照射され、結果として生じる放射線を検出してＸ線画像データを生成する。ステップｃ）とも称される第３のステップ２０６において、ユーザは、照射ステップｂ）の間に上記の例の１つによる人間工学的支持装置で支持される。
【００９６】
本発明の実施例が、異なる対象を参照して記載されることに注意されたい。特に、いくつかの実施例は、装置型請求項を参照して記載される。しかしながら、当業者は、上記及び以下の説明から、別段の通知がない限り、１つのタイプの対象に属する特徴の任意の組み合わせに加えて、異なる対象に関連する特徴の間の任意の組み合わせも本願で開示されると考えられることが分かるであろう。しかしながら、全てのフィーチャは、前記フィーチャの単純な合計以上の相乗効果を提供するように組み合わせられることができる。
【００９７】
本発明が、図面及び前述の説明において詳細に図示及び説明されたが、このような図示及び説明は、例示的又は典型的なものとみなされるべきであり、限定的なものではない。本発明は、開示された実施例に限定されない。開示された実施例に対する他の変形は、図面、開示、及び従属請求項の検討から、請求された発明を実施する際に当業者によって理解され、達成されることができる。
【００９８】
特許請求の範囲において、「有する」という語は、他の要素又はステップを排除するものではなく、不定冠詞「ａ」又は「ａｎ」は、複数を排除するものではない。単一のプロセッサ又は他のユニットが、特許請求の範囲に記載された複数のアイテムの機能を果たしてもよい。特定の手段が相互に異なる従属請求項に記載されているという単なる事実は、これらの手段の組み合わせが有利に使用されることができないことを示すものではない。特許請求の範囲のいかなる参照符号も、その範囲を限定するものと解釈されるべきではない。
【図１】
2021521954.tif 000003
【図２】
2021521954.tif 000004
【図３】
2021521954.tif 000005
【図４】
2021521954.tif 000006
【図５】
2021521954.tif 000007
【図６】
2021521954.tif 000008
【図７】
2021521954.tif 000009
【図８】
2021521954.tif 000010
【図９】
2021521954.tif 000011
【図１０】
2021521954.tif 000012
【国際調査報告】
2021521954.tif 000013
2021521954.tif 000014